【手続補正書】
【提出日】平成23年5月30日(2011.5.30)
【手続補正１】
【補正対象書類名】明細書
【補正対象項目名】００４２
【補正方法】変更
【補正の内容】
【００４２】
図４は、図１および図２に従って実施される方法ステップを実施するための装置の側面図を示す。転写フィルム１は、モーターで回転駆動される第一のフィルムカートリッジの形態の転写フィルム保存手段３により供給される。転写フィルムは、第一のフィルムカートリッジのコア３ｂに巻かれている。コア３ｂは、カバープレート３ａの間に配置されている。転写フィルム１は、第二のダンサーローラー９ｂを含み転写フィルムの張力を一定に保つ、第二の転写フィルム張力調整装置により、第二のセンサーユニット８に供給される。第二のセンサーユニット８の後、転写フィルム１は、サーボモーターにより駆動される引っ張り機構１４と、接触圧力ローラー１５とを通過する。
【手続補正２】
【補正対象書類名】特許請求の範囲
【補正対象項目名】全文
【補正方法】変更
【補正の内容】
【特許請求の範囲】
【請求項１】
型押し加工、特に加熱型押し加工を施す転写フィルム（１）の生産量の増加方法であって、転写フィルム（１）は、キャリアフィルム（１ａ）およびキャリアフィルム（１ａ）から剥離可能な転写層部位（１ｂ）を有し、第一の型押し加工工程の間、転写層部位（１ｂ）の互いに間隔（ａ）離れて配置された第一の領域（１０）が、第一の型押し加工ツールにより、転写フィルム（１）から少なくとも一つの基質（２）に転写され、第一の開口（１０ａ）が、転写フィルム（１）の転写層部位（１ｂ）において、間隔（ａ）で形成され、さらに、転写フィルム（１）は、第一の型押し加工工程後に巻き取られ、２つの第一の開口（１０ａ）の間にそれぞれ配置された転写層部位（１ｂ）の第二の領域（１１）が、第二の型押し加工ツールにより、転写フィルム（１）から少なくとも一つの基質（２´）に転写される、少なくともさらなる型押し加工工程に供給され、第二の開口（１１ａ）が、転写フィルム（１）の転写層部位（１ｂ）において、第一の開口（１０ａ）と離れて形成される方法。
【請求項２】
第一の型押し加工ツールが、第二の型押し加工ツールとして再び利用されること、
を特徴とする請求項１に記載の方法。
【請求項３】
間隔（ａ）が、転写フィルムの全長に渡り、一定に維持されること、
を特徴とする請求項１または２に記載の方法。
【請求項４】
転写フィルム（１）の転写層部位（１ｂ）における第一の開口（１０ａ）の位置が、少なくとも一つの第一のセンサーにより、第一のセンサーユニットにおいて、第一の制御データの形態で検出されること、
を特徴とする請求項１〜３のいずれか１項に記載の方法。
【請求項５】
第一の型押し加工工程の間、第一の型押し加工ツール、および／または、転写フィルム（１）、および／または、少なくとも一つの基質（２）を運搬する運搬装置の、動作シーケンス、好ましくは速度および／または空間位置が、第一の制御データにより調整されること、
を特徴とする請求項４に記載の方法。
【請求項６】
転写フィルム（１）の転写層部位（１ｂ）における第一の開口（１０ａ）の位置が、少なくとも一つのさらなる型押し加工工程の前に、少なくとも一つのセンサーを有する第二のセンサーユニット（８）において、第二の制御データの形態で検出されること、
を特徴とする請求項１〜５のいずれか１項に記載の方法。
【請求項７】
第二のセンサーユニット（８）は、全部で３つのセンサー（８ａ、８ｂ、８ｃ）を有し、第一の開口（１０ａ）の位置が、２つのセンサー（８ａ、８ｂ）により決定され、前記第一の開口（１０ａ）に隣り合って形成される第二の開口（１１ａ）の位置が、第三のセンサー（８ｃ）により確認されること、
を特徴とする請求項６に記載の方法。
【請求項８】
少なくとも一つのさらなる型押し加工工程の間、第二の型押し加工ツール、および／または、転写フィルム（１）、および／または、少なくとも一つのさらなる基質（２´）を運搬する運搬装置の、動作シーケンス、好ましくは速度および／または空間位置が、第二の制御データにより調整されること、
を特徴とする請求項７に記載の方法。
【請求項９】
転写フィルム（１）が、第一のフィルムカートリッジの形態の転写フィルム保存手段（３）から、第一の型押し加工ツールに供給され、第一の型押し加工工程後、一定のフィルム張力で、第二のフィルムカートリッジの形態の転写フィルム巻き取り手段（４）に巻き取られ、特に、第一の型押し加工工程後、第一の開口（１０ａ）を含む転写フィルム（１）が巻き取られた第二のフィルムカートリッジが、少なくとも一つのさらなる型押し加工工程を実施するための転写フィルム保存手段（３）として用いられ、空の第一のフィルムカートリッジが、転写フィルム巻き取り手段（４）として用いられること、
を特徴とする請求項１〜８のいずれか１項に記載の方法。
【請求項１０】
第一の開口（１０ａ）と、隣り合う第二の開口（１１ａ）とが、互いに少なくとも0.5mm、特に少なくとも1mm離れて形成され、２つの開口（１０ａ、１１ａ）が好ましくは等しいサイズであること、
を特徴とする請求項１〜９のいずれか１項に記載の方法。
【請求項１１】
請求項１〜１０のいずれか１項に記載の方法を実施する、以下のユニット：
−転写フィルム（１）を巻き取り形態で供給する転写フィルム保存手段（３）、
−第一および第二の型押し加工ツールを形成し、転写フィルム（１）が転写フィルム保存手段（３）から供給される型押し加工ツール（５）、および、
−第一の型押し加工工程後、第一の開口（１０ａ）を含む転写フィルム（１）が巻き取られる転写フィルム巻き取り手段（４）、
−第一の型押し加工ツール（５）と転写フィルム巻き取り手段（４）との間に配置され、転写フィルム巻き取り手段（４）の巻き取りステップの前に、少なくとも一つの第一の、好ましくは光学センサーにより、転写フィルム（１）の転写層部位（１ｂ）における第一の開口（１０ａ）の位置を、第一の制御データの形態で検出する、第一のセンサーユニット（７）、および、
−転写フィルム保存手段（３）と型押し加工ツール（５）との間に配置され、少なくとも一つのさらなる型押し加工工程の前に、少なくとも一つのさらなる、好ましくは光学センサーにより、転写フィルム（１）の転写層部位（１ｂ）における第一の開口（１０ａ）の位置を、第二の制御データの形態で検出する、第二のセンサーユニット（８）、
を含む装置。
【請求項１２】
転写フィルム保存手段（３）が、第一のフィルムカートリッジにより形成され、転写フィルム巻き取り手段（４）が、第二のフィルムカートリッジにより形成され、それぞれは、環状コア（３ｂ、４ｂ）と、２つのカバープレート（３ａ、４ａ）と、を含み、転写フィルム（１）がコア（３ｂ、４ｂ）の周りに巻き取られ、２つのカバープレート（３ａ、４ａ）のそれぞれ一方により横方向が制限され、特に、装置が、転写フィルム（１）を転写フィルム保存手段（３）から解き、転写フィルム巻き取り手段（４）に巻き取らせる、第一および第二のフィルムカートリッジの安定駆動のための駆動モーターをそれぞれ有すること、
を特徴とする請求項１１に記載の装置。
【請求項１３】
第一および第二のフィルムカートリッジが、互換性を有し、第一の型押し加工工程終了後、第一の開口（１０ａ）を含む転写フィルム（１）が巻き取られる第二のフィルムカートリッジが、少なくとも一つのさらなる型押し加工工程を実施する転写フィルム保存手段（３）を形成し、空の第一のカートリッジが転写フィルム巻き取り手段（４）を形成すること、
を特徴とする請求項１２に記載の装置。
【請求項１４】
第一の転写フィルム張力調整装置が、型押し加工ツール（５）と転写フィルム巻き取り手段（４）との間に配置され、および／または、第二の転写フィルム張力調整装置が、転写フィルム保存手段（３）と第二のセンサーユニット（８）との間に配置され、第一および第二の転写フィルム張力調整装置が、それぞれ型押し加工ツール（５）と転写フィルム巻き取り手段（４）との間の領域および転写フィルム保存手段（３）と型押しツール（５）との間の領域において、転写フィルム（１）のフィルム張力をそれぞれ一定に保ち、好ましくは、張力調整ローラーまたはダンサーローラー（９ａ）を含み、その位置が、空気圧で変化すること、
を特徴とする請求項１１〜１３のいずれか１項に記載の装置。
【請求項１５】
第二のセンサーユニット（８）は、全部で３つのセンサー（８ａ、８ｂ、８ｃ）を有し、第一の開口（１０ａ）の位置が、２つのセンサー（８ａ、８ｂ）により決定され、前記第一の開口（１０ａ）に隣り合って形成される第二の開口（１１ａ）の位置が、第三のセンサー（８ｃ）により確認されること、
を特徴とする請求項１１〜１４のいずれか１項に記載の装置。